(57)【要約】    【課題】  本発明は、無垢の丸太の使用を削減し、しかも杉等の無垢の丸太で形成した柱と比較して見劣りしない面皮柱の提供を目的とする。    【解決手段】  複数の帯板状芯材１２を積重して断面視略矩形に一体とした柱状の集成材１３を形成し、上記集成材１３の外周部における角部１５に面取り加工を施して面取り部２６を形成し、上記集成材１３の外周面における上記面取り部２６を除いた部位に、木目が顕在した化粧薄板２１を添着し、上記面取り部２６に、木肌が顕在した化粧薄板２２を添着した面皮柱１０。  【選択図】    図１
2005074730.tif 000002
【特許請求の範囲】
【請求項１】
複数の帯板状芯材を積重して断面視略矩形に一体とした柱状の集成材を形成し、
上記集成材の外周面に、木目が顕在した化粧薄板を添着し、
上記集成材の外周部における角部に面取り加工を施して面取り部を形成し、
上記面取り部に、木肌が顕在した化粧薄板を添着した
面皮柱。
【請求項２】
前記面取り部を、上記集成材における長手方向の一方の端部側から他方の端部に進むに従って、面取り量が緩やかに減衰するように形成した
請求項１に記載の面皮柱。
【請求項３】
複数の帯板状芯材を積重して断面視略矩形に一体とした柱状の集成材を形成する工程と、
上記集成材の外周部に添着する木目が顕在した化粧薄板を、形成する工程と、
上記木目が顕在した化粧薄板を上記集成材の外周部に添着する工程と、
上記集成材の外周部における角部に面取り加工を施して面取り部を形成する工程と、
上記面取り部に添着する木肌が顕在した化粧薄板を形成する工程と、
上記木肌が顕在した化粧薄板を上記面取り部に添着する工程とを備えた
面皮柱の製造方法。
【請求項４】
前記面取り部を形成する工程において、上記集成材における長手方向の一方の端部側から他方の端部に進むに従って、面取り量が緩やかに減衰するように前記面取り加工を施した
請求項３に記載の面皮柱の製造方法。
【発明の詳細な説明】
【技術分野】
【０００１】
この発明は、和風建築に使用され、特に書院造りなどの形式に拘束されない数奇屋建築に、欠かすことができない面皮柱に関する。
【背景技術】
【０００２】
最近、旅館や割烹などで面皮柱と呼ばれる柱がよく用いられている。  
なお、上記面皮柱とは、概略すると磨丸太の外周部を４面において、角部を残してはつった（削った）面と該残した部位の木肌部（皮の部位）とを交互に現した柱のことをいう。
【０００３】
上記面皮柱におけるはつった面は、美しい木目が現れ、見る人に洗練された印象を与えることができる、一方、はつらないで磨丸太の表皮（木肌）のまま残した角部については、自然のままの洗練されていなさという上記相反する２つの形態を１本の木材に現すことで趣をかもし出すことができる。
【０００４】
しかし、面皮柱は、一般に旅館や、割烹などで用いられるものであるため、より美しい木目が現れる方が好ましく、そのためには、ある程度の樹齢を要する。そのような場合に、無垢の丸太を用いた場合、非常に高価となってしまう。
【０００５】
しかも、最近特に、二酸化炭素の増加による地球温暖化が進行しており、森林伐採を削減させることが重要な課題となることからも、益々木材を有効利用することが求められている。
【発明の開示】
【発明が解決しようとする課題】
【０００６】
そこで本発明は、無垢の丸太の使用を削減し、しかも杉等の無垢の丸太で形成した柱と比較して見劣りしない面皮柱の提供を目的とする。
【課題を解決するための手段】
【０００７】
本発明は、複数の帯板状芯材を積重して断面視略矩形に一体とした柱状の集成材を形成し、上記集成材の外周面に、木目が顕在した化粧薄板を添着し、上記集成材の外周部における角部に面取り加工を施して面取り部を形成し、上記面取り部に、木肌が顕在した化粧薄板を添着した面皮柱であることを特徴とする。
【０００８】
上記集成材は、輸入材木、あるいは、二次林、間伐林等のような小径木を原料として生産された木材が好ましく、面皮柱の芯材として用いることが可能であればよい。
【０００９】
上記木目が顕在した化粧薄板は、例えば、杉などの木目が現れた薄板（単板）を示し、一方、上記木肌が顕在した化粧薄板は、木目に沿って杉などの皮を剥ぐことで、木目が全く表面に顕在しない木肌が現れた状態の薄板（皮）を示す。
【００１０】
また、上記面皮柱は、柱に用いられる頻度が高いが、柱に限らず、梁や桁、土台等にあっても適用してもよく、さらに、構造用、像作用であっても適用することができる。
【００１１】
上記面皮柱は、複数の帯板状芯材を積重して断面視略矩形に一体とした柱状の集成材を形成する工程と、上記集成材の外周部に添着する木目が顕在した化粧薄板を、形成する工程と、上記木目が顕在した化粧薄板を上記集成材の外周部に添着する工程と、上記集成材の外周部における角部に面取り加工を施して面取り部を形成する工程と、上記面取り部に添着する木肌が顕在した化粧薄板を形成する工程と、上記木肌が顕在した化粧薄板を上記面取り部に添着する工程とを備えた面皮柱の製造方法であることを特徴とする。
【００１２】
上記集成材を形成する工程において、上記帯板状心材を一体とする際、熱硬化性の接着剤を用いることが好ましい。さらに接着後に、熱を付与すれば、各帯板状心材を強固に固定することができる。
【００１３】
特に、上記木目が顕在した化粧薄板を形成する工程においては、例えば樹齢１０年から３５年程度の杉などの原木について表皮を剥ぐなどして製材し、該製材した丸太を、長手方向に短冊状にスライスカットするとよい。  
これにより、化粧薄板に美しい木目を顕在させることができる。
【００１４】
さらに、上記木肌が顕在した化粧薄板を形成する工程においては、上述と同様に、製材した丸太の中央部から、すなわち、丸太の断面視同心円状に顕在する年輪の中心部から所定角度を隔てて放射状に切る。  
加えて、その切断した部材における年輪に加工する刃を沿わせながら、年輪に交わらないように、隣接する上記年輪どうしの間に位置する木肌（皮）を剥いで上記木肌が顕在した化粧薄板を形成する。  
これにより、上記化粧薄板には、人工的に加工した木目が現れないため、自然のままの趣を醸し出すことができる。
【００１５】
また、好ましくは上記面皮柱は、前記面取り部を、上記集成材における長手方向の一方の端部側から他方の端部に進むに従って、面取り量が緩やかに減衰するように前記面取り加工を施して形成することができる。
【００１６】
前記面取り部を形成する工程において、上記集成材における長手方向の一方の端部側から他方の端部に進むに従って、面取り量が緩やかに減衰するように前記面取り加工を施した面皮柱の製造方法であることを特徴とする。
【００１７】
また、上述するごとく、角部に面取り加工する前の集成材における外周部に、先に、木目が顕在した化粧薄板（単板）を添着し、集成材の外周部に添着した木目が顕在した化粧薄板（単板）ごと集成材の角部を切り落とし、該切り落とした部位に木肌が顕在した化粧薄板を添着して面皮柱を形成してもよい。  
あるいは、化粧薄板を添着する前に集成材の角部に面取り加工を施しておき、その後に該面取り加工を施した面取り部に木肌が顕在した化粧薄板を添着し、面取り部を除いた部位に、木目が顕在した化粧薄板を添着しても構わない。
【発明の効果】
【００１８】
この発明によれば、集成材を用いて面皮柱を形成することで、無垢の丸太の使用量を削減することができ、森林伐採の削減にも貢献することができる。
【００１９】
化粧薄板に杉などの木材を用いるとともに、化粧薄板どうしの継ぎ目など確実に接着しておけば、例えば樹脂テープへの木目模様の印刷等によって化粧薄板を形成しているのではないため、間近でみても、全く本物の木材を製材した柱と判別がつかない雰囲気を醸し出すことができる。  
しかも、手触りの感触も、現物であり、樹脂テープ等では得られない手触りをえることができる。
【００２０】
上述のごとく、面取り部における面取り量が緩やかに減衰させて形成することで、幹の太さが株側から上方に進むに従って径細になるという実際の無垢の丸太に対して、上記面取り部を施して製材した面皮柱であるかのように見せることができ、より趣を醸し出すことができる。
【００２１】
また、本発明の面皮柱は、芯材を強固に接着して集成材を形成しているため、強度面において、全く問題とならない。
【発明を実施するための最良の形態】
【００２２】
この発明の一実施形態を、以下図面を用いて説明する。  
図１は、本発明の面皮柱１０を示し、該面皮柱１０の形成方法を図２、図３を用いて説明する。
【００２３】
まず図２に示すごとく、安価な輸入材木であるラミナ（後述する）と称する複数の芯材１１を帯板状に連結し、該連結した帯板状芯材１２を積重して断面視略矩形に一体とした柱状の集成材１３を形成する。
【００２４】
具体的には、図２（ａ）に示すごとく、安価な輸入木材である長さが、１５０ｍｍ、幅が１００ｍｍ、厚さが２０ｍｍ程度の複数個の芯材１１を、長手方向に連結している。図２（ｂ）に示すごとく、各芯材１１の連結部１４は、上記凹凸状に形成し、各芯材１１どうしを、接着剤を介して凹凸形状をかみ合わせて連結し、３ｍ程度の長さの帯板状芯材１２を形成する。
【００２５】
なお、上記帯板状芯材１２（あるいは芯材１１）のサイズ等は、構造用集成材１３の規格をもとに、使用する際に必要な、耐力等に応じて設定すればよい。
【００２６】
さらに、図２（ｃ）に示すごとく、上記帯板状芯材１２の５本をそれぞれ厚さ方向に積重する。この際、該積重箇所を接着剤で接着して一体とし、集成材１３を形成する。  
なお、上記接着剤は、熱硬化性樹脂、あるいは、レゾルシノール系樹脂が使用され、接着後に熱を付与して硬化、あるいは乾燥している。
【００２７】
次に、上記集成材１３の外周部に接着する化粧薄板（化粧単板）についての製造方法について説明を行う。  
まず、図３（ａ）に示すごとく、杉の木目が顕在した化粧薄板２１は、樹齢が１０年程度の杉の磨丸太２３ａを３ｍ程度の長さに切り出して、該切り出した磨き丸太２３ａを長手方向に２ｍｍ程度の間隔の厚さでスライスカットする。
【００２８】
一方、図３（ｂ）に示すごとく、ここで木肌が顕在した化粧薄板２２は、別途、上記磨丸太２３ａと同じ種類の杉を用いる。ここでまず、磨き丸太２３ｂは、上記丸太を長手方向に中心部から放射状に例えば、８分割程度に切る（銀杏切りする）。  
さらに、分割した一塊の木材２５における隣接する年輪の間に有する木肌が顕在した化粧薄板２２（皮）をむしる。
【００２９】
以上により形成した化粧薄板２１、２２のうち、上記木目が顕在した化粧薄板２１を、集成材１３の外周部に接着するが、適宜、化粧薄板２１は、接着する部位に応じた大きさに一致させるために、切り取ったり、あるいは、切り取った化粧薄板２１ごとに別々にそれぞれを組み合わせたりして接着するとよい。  
さらに、図２（ｄ）に示すごとく、角部１５を幅が１９ｍｍ（Ｃ１３．5ｍｍ）程度にはつって面取り処理を施す。  
なお、ここで、面皮柱１０の外周部における外観が丸太本来の外形形状にさらに近づけるため、角部１５の外形形状が円弧状（Rを付して）はつってもよい。
【００３０】
上記木肌が顕在した化粧薄板２２を集成材１３の外周部における面取り部２６（角部１５）にそれぞれ接着するが、この工程でも同様に、化粧薄板２２を適宜、接着する部位に応じた大きさに一致させるために、切り取ったり、あるいは、切り取った化粧薄板２２ごとに別々にそれぞれを組み合わせたりして接着するとよい。
【００３１】
上述するごとく、上記２つの形態の化粧薄板２１、２２に同じ種類の杉を用いることで互いに接着した部分の境界部も自然であり、また、隣接する化粧薄板２１、２２どうしがよく馴染むため剥がれにくい。  
また接着が完了後には、改めて光沢を施すために鋭利な刃を装着したカンナ等で厚みが１．５ｍｍ程度にとなるように集成材１３が露出したり、キズをつけたりしないように十分注意しながら表面研磨して仕上げする。  
以上の工程により、図１に示す面皮柱１０を形成することができ、外観、手触りにおいて、一本の杉の丸太を製材した柱と見分けをつけることができないため、高級感を得ることができる。
【００３２】
なお、上記芯材１１として使用する上記ラミナとは、二次林や間伐林のような小径木の丸太より生産された芯材１１をいい、通常、オールドグロスの丸太（自然木、一次林）を原料としていないため、将来にわたって供給不足はなく、むしろ地球環境破壊を守るという観点から積極的に使用することが奨励されている。  
このため、上記ラミナを芯材１１として形成した面皮柱１０は地球環境の面からも好ましい。
【００３３】
次に、図４に示すごとく、本発明の他の面皮柱３０の形態として、前記面取り部３１を、上記集成材１３における杉の丸太の末口部３２（上側）に対応する部位から元口部３３（株側）に対応する部位に進むに従って、角部１５の面取り量が緩やかに減衰するように形成することができる。
【００３４】
また、面取り部３１における末口部３２側の面皮柱３０の端部の面取り幅は２５ｍｍとし、面取り部３１における元口部３３側の面皮柱３０の端部の面取り幅ー幅は１５ｍｍとする。
【００３５】
すなわち、立木原木等、実際の杉の磨丸太は、樹齢を重ねるにつれて一般に、柱として使用する元口部３３から末口部３２へ上側に進むに従って、幹が次第に径細になる。通常、杉が３メートル程度の高さであるにもかかわらず、幹の太さが一定であることは、図５（ａ）に示すごとく、逆に不自然であり、このような磨丸太５１を用いて、面皮柱５３を形成しようとすると、長手方向にかけて面皮柱５３の面取り部５５が一定となるため、人工的な印象を与えてしまいかねない。
【００３６】
そこで本実施例では、このような実際の杉の形態に着目し集成材１３を用いた面皮柱３０を形成する。  
具体的には、図５（ｂ）に示すごとく、このような実際の杉の磨丸太５２を用いて面皮柱５４を形成しようとすると、磨丸太５２の長手方向に沿って施した面皮柱５４の面取り部５６は元口部３３から上側に位置するほど幅広となる。
【００３７】
このような、磨丸太５２を用いて形成した面皮柱５４の形態を、集成材１３を用いた面皮柱３１であっても忠実に再現して形成することで、より実物の杉の磨丸太５２を利用して形成した柱と見せることができ、さらに趣を増すことができる。
【００３８】
以下、本実施の形態における面皮柱３０の製造方法を、上述した製造方法と異なる部分を中心に説明を行う。  
上記面皮柱３０は、外周部に木目が顕在した化粧薄板２１を接着した状態の集成材１３の角部１５の前記面取り部３１を、図１における集成材１３の面取りのように一定の面取り量で加工するのではなく、上記集成材１３における長手方向の末口部３２に対応する端部側から元口部３３に対応する端部側に進むに従って、面取り量が緩やかに減衰するように面取り加工を施して上記面取り部３１を形成する。
【００３９】
そして、上記木肌が顕在した化粧薄板２２を、接着するが、該化粧薄板２２を接着する部位に応じた形状に、切り取ったり組み合わせたりして、集成材１３が見えないように、接着する。  
このように接着することで、無駄な杉の化粧薄板２１、２２が残留することもない。  
上述した工程を経て製材すれば、本実施例の面皮柱３０を形成することができる。
【００４０】
上記面皮柱３０は、より実物の無垢の木材を製材して形成した柱の形態であるかのごとく、それとなく見せることができ、より趣を醸し出すことができる。
【００４１】
またこの発明は、上述の実施形態の構成のみに限定されるものではなく、多くの実施の形態を得ることができる。
【図面の簡単な説明】
【００４２】
【図１】本発明の面皮柱を現す外観図。
【図２】芯材を連結する工程を現す外観図（ａ）、帯板状芯材１２を現す外観図（ｂ）、帯板状芯材１２を積重した外観図（ｃ）、面取りした集成材を現す外観図（ｄ）。
【図３】化粧薄板を形成する工程を現す外観図（ａ）、他の化粧薄板を形成する工程を現す外観図（ｂ）。
【図４】本発明の面皮柱を現す外観図。
【図５】実際の丸太で形成した面皮柱を現す説明図（ａ）、他の形態の実際の丸太で形成した面皮柱を現す説明図（ｂ）。
【符号の説明】
【００４３】
１０、３０…面皮柱
１２…帯板状芯材
１３…集成材
１５…角部
２１…木目が顕在した化粧薄板
２２…木肌が顕在した化粧薄板
２６、３１…面取り部
【図１】
2005074730.tif 000003
【図２】
2005074730.tif 000004
【図３】
2005074730.tif 000005
【図４】
2005074730.tif 000006
【図５】
2005074730.tif 000007